(57)【要約】      （修正有）【課題】茶葉を傷つけずに摘採し、搬送する走行型茶葉摘採機を提供する。【解決手段】走行型茶葉摘採機は、門型枠４下方の摘採装置５と、摘採装置後方の茶葉収葉装置と、摘採装置で摘採した茶葉を茶葉収容装置の上部に運ぶための略垂直な輸送ダクト７，８とより構成するとともに、輸送ダクト送出端部より排出された茶葉が当たる部分に衝撃吸収部材を設ける。【選択図】図１
2006166710.tif 000002
【特許請求の範囲】
【請求項１】
門型枠下方の摘採装置と、摘採装置後方の茶葉収葉装置と、摘採装置で摘採した茶葉を茶葉収容装置の上部に運ぶための略垂直な輸送ダクトとより構成するとともに、輸送ダクト送出端部より排出された茶葉が当たる部分に衝撃吸収部材を設けることを特徴とする走行型茶葉摘採機。
【請求項２】
衝撃吸収部材には、ゴムや布、化学繊維など衝撃を和らげる材質を用いることを特徴とする請求項１記載の走行型茶葉摘採機。
【発明の詳細な説明】
【技術分野】
【０００１】
本発明は、茶畝に沿って走行しながら茶葉を摘採する走行型茶葉摘採機に関するものである。
【背景技術】
【０００２】
走行型茶葉摘採機には、摘採した茶葉をそのまま後方へ移送して茶袋へ収容するタイプと、摘採した茶葉を一度上方へ移送してから、茶葉収容装置へ落として収容するタイプのものがある。後者の場合、茶葉収容装置が茶袋タイプのもの（例えば、特許文献１参照）と、コンテナタイプのもの（例えば、特許文献２参照）がある。コンテナを装備した走行型茶葉摘採機では、コンテナの内面を鉄板またはアルミ板などで構成しており、また、最近では、通気性をよくするために、鉄板またはアルミ板を網目状のもので構成することがあった。
【特許文献１】特開２００４−１５４０２１号公報
【特許文献２】特開２００１−１２８５３１号公報
【発明の開示】
【発明が解決しようとする課題】
【０００３】
摘採装置で摘採され、輸送ダクト送出端部より排出された茶葉は、風速約１０ｍ／秒で鉄板またはアルミ板に当たり、茶葉収容装置に収容されるが、このとき、鉄板またはアルミ板にあたった衝撃で、茶葉が傷ついてしまうことがあった。
【０００４】
通常、茶葉を傷つけないように摘採し、茶工場へ搬入する。万一、茶葉が傷ついてしまうと、傷の部分から発酵が始まり、茶葉原料としての品質が低下し、この品質は茶葉価格に影響する。本発明は、茶葉を傷つけずに摘採し、搬送する走行型茶葉摘採機を提供することを課題としている。
【課題を解決するための手段】
【０００５】
本発明の第１手段の走行型茶葉摘採機は、門型枠下方の摘採装置と、摘採装置後方の茶葉収葉装置と、摘採装置で摘採した茶葉を茶葉収容装置の上部に運ぶための略垂直な輸送ダクトとより構成するとともに、輸送ダクト送出端部より排出された茶葉が当たる部分に衝撃吸収部材を設ける。第２手段の走行型茶葉摘採機は、第１手段の衝撃吸収部材には、ゴムや布、化学繊維など衝撃を和らげる材質を用いる。
【発明の効果】
【０００６】
請求項１により、摘採された茶葉が傷つくことがなく、品質の高い茶葉を摘採、搬送することが出来る。請求項２により、身近で安価な部材で可能となる。
【発明を実施するための最良の形態】
【０００７】
茶葉収容装置をコンテナタイプにして、コンテナを網目状にした例を実施例１、２で、茶葉収容装置を茶袋タイプにして、茶袋上のフードを網目状にした例を実施例３で示す。
【実施例１】
【０００８】
本実施例は、茶葉収容装置のコンテナを網目状にした例である。茶畝１を挟んで２本のクローラ型の走行装置２、３を門型枠４でつなぎ、門型枠４の下に摘採装置５を設ける。摘採装置５の後方には茶葉を収容する茶葉収容装置であるコンテナ（以下、収容コンテナとする）６を設けてある。摘採装置５と収容コンテナ６は輸送ダクト７、８でつながっており、摘採装置５は中央部で２分割され、輸送ダクト７、８の上端は収容コンテナ６に接続されている。門型枠４の上にはファン９、１０が設置してあり、フレキシブルな送風ダクト１１、１２で摘採装置５と接続されている。１３は収容コンテナ６の後面上方の壁に貼り付けた衝撃吸収部材であり、輸送ダクト７、８の送出端部から排出された茶葉が当たる位置に設ける。
【０００９】
走行装置２、３によって、茶畝１を移動しながら摘採装置５で刈り取られた茶葉を、輸送ダクト７、８を通り、収容コンテナ６に送る。このとき、茶葉はファン９、１０の風にのって、勢いよく収容コンテナ６に飛び出してくる。茶葉の多くは、収容コンテナ６の壁に当たり、本実施例の場合は、網目状の壁に当たる。本来、この網目状の収容コンテナ６は、傷ついた切れ葉等の茶葉を網目から外へ廃棄し、傷ついていない正常な茶葉を収容するものであるが、勢いよく網目に当たると、正常な茶葉が傷ついてしまう。傷ついている茶葉は茶葉Ａより呼吸熱が多く、傷ついていない茶葉Ａより早く、変質し、葉焼けという状態を起こし、加工することができなくなってしまう。また、傷ついている茶葉が混ざっていると、製品の品質が低下する。そこで、勢いよく飛び出してくる茶葉を衝撃吸収部材１３に当てることで、茶葉を傷つけないようにする。衝撃吸収部材１３に当たった茶葉は傷つくことなく、勢いをなくして、収容コンテナ６下部に収容される。衝撃吸収部材１３の材質は、ゴム、布、化学繊維など、茶葉と当たっても茶葉を傷つけずに衝撃を和らげる材質を用いる。
【００１０】
収容コンテナ６に収容された茶葉Ａを、茶園の枕地でトラック１９の荷台へ載せかえる。この時、支点２２、２４を軸として、保持腕２１、２３で収容コンテナ６を上方へ持ち上げ、下扉１６を開いて、茶葉Ａを取り出す。取出終了後は、下扉１６を閉じて、収容コンテナ６を下ろし、摘採を行う状態とする。
【実施例２】
【００１１】
本実施例は、実施例１の衝撃吸収部材の位置を変えた例である。本実施例では、収容コンテナ６の壁に貼り付けるのではなく、収容コンテナ６の天井から衝撃吸収部材１４を垂らす。茶葉が収容コンテナ６の壁にぶつかる前に、衝撃吸収部材１４へ当たり、衝撃吸収部材１４が暖簾のようになり、茶葉の勢いをなくして、収容コンテナ６へ茶葉を収容する。
【実施例３】
【００１２】
本実施例は、茶葉収容装置上のフードを網目状にした例であり、茶葉収容装置は収容枠３４と茶葉収容袋３３とからなるものである。走行、摘採に関する構成は、実施例１と同様である。輸送ダクト７、８の上端は下面が開放された網目状のフード３１、３２となっており、収容枠３４の上部に設置する。フード３１、３２の後面上方の輸送ダクト７、８の送出端部から排出された茶葉が当たる位置に、衝撃吸収部材１５を貼り付ける。収容枠３４には複数の茶葉収容袋３３を上面を開放して装着している。
【００１３】
輸送ダクト７、８によって、移送された茶葉を茶葉収容袋３３へ投入するときに、フード３１、３２の衝撃吸収部材１５に当て、勢いをなくしてから茶葉収容袋３３へ落とす。
【００１４】
茶葉Ａをトラックへ載せかえるときは、茶葉収容袋３３を収容枠３４から取り外して、茶葉収容袋３３ごとトラックへ載せる。
【００１５】
実施例１〜３の茶葉収容装置は網目状のものであるが、網目状でないタイプのものでも同様である。
【図面の簡単な説明】
【００１６】
【図１】実施例１の正面図。
【図２】実施例１の側面図。
【図３】実施例１の後面図。
【図４】実施例１の茶葉取出時の側面図。
【図５】実施例１の側面一部断面図。
【図６】実施例２の側面一部断面図。
【図７】実施例３の側面図。
【図８】実施例３の側面一部断面図。
【符号の説明】
【００１７】
１    茶畝
２    走行装置
３    走行装置
４    門型枠
５    摘採装置
６    コンテナ
７    輸送ダクト
８    輸送ダクト
９    送風ファン
１０    送風ファン
１１    送風ダクト
１２    送風ダクト
１３    衝撃吸収部材
１４    衝撃吸収部材
１５    衝撃吸収部材
１６    下扉
１７    駆動手段
１８    ハンドル
１９    トラック
２１    保持腕
２２    支点
２３    保持腕
２４    支点
３１    フード
３２    フード
３３    茶葉収容袋
３４    収容枠
Ａ    茶葉
【図１】
2006166710.tif 000003
【図２】
2006166710.tif 000004
【図３】
2006166710.tif 000005
【図４】
2006166710.tif 000006
【図５】
2006166710.tif 000007
【図６】
2006166710.tif 000008
【図７】
2006166710.tif 000009
【図８】
2006166710.tif 000010